【手続補正書】
【提出日】平成17年3月1日(2005.3.1)
【手続補正１】
【補正対象書類名】明細書
【補正対象項目名】特許請求の範囲
【補正方法】変更
【補正の内容】
【特許請求の範囲】
【請求項１】
ゲートの電圧を制御することで第１乃至第４のノードの接続を制御する手段と、
前記ゲートの電圧を保持する手段と、
前記第１のノードと前記ゲートの接続を制御する手段と、
前記第１のノードと前記第２のノードの間に流れる電流を制御する手段と、
前記第３のノードと前記第４のノードの間に流れる電流を制御する手段と、
前記第３のノードと前記第４のノードの間に流れる電流が供給される発光素子と、
が備えられていることを特徴とする発光装置。
【請求項２】
ゲート、ソースおよびドレインを有する第１乃至第５のトランジスタと、
ゲート、第１乃至第４のノードを有する第６のトランジスタと、
コンデンサーと、
発光素子と、を有し、
前記コンデンサーにより前記第６のトランジスタのゲートの電圧が保持され、
前記第２のトランジスタは、ソース又はドレインの一方が前記第６のトランジスタのゲートに接続され、他方が前記第１のノードに接続され、
前記第１のトランジスタは、ソース又はドレインの一方が前記第１のノードに接続され、
前記第３のトランジスタは、ソース又はドレインの一方が前記第２のノードに接続され、
前記第１および第３のトランジスタにより、前記第１のノードと前記第２のノードの間に流れる電流が制御され、
前記第４のトランジスタは、ソース又はドレインの一方が前記第３のノードに接続され、
前記第５のトランジスタは、ソース又はドレインの一方が前記第４のノードに接続され、
前記第４および第５のトランジスタにより、前記第３のノードと前記第４のノードの間に流れる電流の前記発光素子への供給が制御されることを特徴とする発光装置。
【請求項３】
第１および第２の配線と、
ゲート、ソースおよびドレインを有する第１乃至第５のトランジスタと、
ゲート、第１乃至第４のノードを有する第６のトランジスタと、
コンデンサーと、
発光素子と、
を有し、
前記コンデンサーは、電極の一方が前記第６のトランジスタのゲートに接続され、他方が前記第２の配線に接続され、
前記第１のトランジスタは、ソース又はドレインの一方が前記第１のノードに接続され、他方が前記第１の配線に接続され、
前記第２のトランジスタは、ソース又はドレインの一方が前記第６のトランジスタのゲートに接続され、他方が前記第１のノードに接続され、
前記第３のトランジスタは、ソース又はドレインの一方が前記第２のノードに接続され、他方が前記第２の配線に接続され、
前記第４のトランジスタは、ソース又はドレインの一方が前記第３のノードに接続され、他方が前記第２の配線に接続され、
前記第５のトランジスタは、ソース又はドレインの一方が前記第４のノードに接続され、他方が前記発光素子に接続されていることを特徴とする発光装置。
【請求項４】
請求項３において、前記第１および第３のトランジスタは、それぞれ、第３の配線に接続されていることを特徴とする発光装置。
【請求項５】
請求項３において、前記第１および第３のトランジスタは、それぞれ、ゲートが第３の配線に接続され、前記４および第５のトランジスタは、それぞれ、ゲートが第４の配線に接続されていることを特徴とする発光装置。
【請求項６】
ゲートの電圧を制御することで第１乃至第４のノードの接続を制御する手段と、
前記ゲートの電圧を保持する手段と、
前記第２のノードと前記ゲートの接続を制御する手段と、
前記第２のノードと前記ゲートが接続されているときに、前記ゲートの電圧を保持する手段において保持される電圧の大きさを制御する手段と、
前記第３のノードと前記第４のノードの間に流れる電流を制御する手段と、
前記第３のノードと前記第４のノードの間に流れる電流が供給される発光素子と、
が備えられていることを特徴とする発光装置。
【請求項７】
ゲート、ソースおよびドレインを有する第１乃至第５のトランジスタと、
ゲート、第１乃至第４のノードを有する第６のトランジスタと、
コンデンサーと、
発光素子と、を有し、
前記コンデンサーにより前記第６のトランジスタのゲートの電圧が保持され、
前記第５のトランジスタは、ソース又はドレインの一方が前記第６のトランジスタのゲートに接続され、他方が前記第２のノードに接続され、
前記第１のトランジスタは、ソース又はドレインの一方が前記第１のノードに接続され、
前記第３のトランジスタは、ソース又はドレインの一方が前記第２のノードと前記第５のトランジスタのソース又はドレインの他方に接続され、
前記第５のトランジスタの動作に連動して、前記第１および第３のトランジスタにより、前記コンデンサーの充電および放電が制御され、
前記第２のトランジスタは、ソース又はドレインの一方が前記第３のノードに接続され、
前記第４のトランジスタは、ソース又はドレインの一方が前記第４のノードに接続され、
前記第２および第４のトランジスタにより、前記第３のノードと前記第４のノードの間に流れる電流の前記発光素子への供給が制御されることを特徴とする発光装置。
【請求項８】
第１および第２の配線と、
ゲート、ソースおよびドレインを有する第１乃至第５のトランジスタと、
ゲート、第１乃至第４のノードを有する第６のトランジスタと、
コンデンサーと、
発光素子と、を有し、
前記コンデンサーは、一方の電極が前記第６のトランジスタのゲートに接続され、他方の電極が前記第２の配線に接続され、
前記第１のトランジスタは、ソース又はドレインの一方が前記第１のノードに接続され、他方が前記第１の配線に接続され、
前記第２のトランジスタは、ソース又はドレインの一方が前記第３のノードに接続され、他方が前記第２の配線に接続され、
前記第３のトランジスタは、ソース又はドレインの一方が前記第２のノードと前記第５のトランジスタのソース又はドレインの他方に接続され、他方が前記発光素子の一方の電極に接続され、
前記第４のトランジスタは、ソース又はドレインの一方が前記第４のノードに接続され、他方が前記発光素子の他方の電極に接続され、
前記第５のトランジスタは、ソース又はドレインの一方が前記第６のトランジスタのゲートに接続され、他方が前記第２のノードに接続されていることを特徴とする発光装置。
【請求項９】
請求項８において、前記第１および第５のトランジスタのゲートは、それぞれ、互いに異なる配線に接続されていることを特徴とする発光装置。
【請求項１０】
請求項８において、前記第２および第４のトランジスタのゲートは第３の配線に接続されていることを特徴とする発光装置。
【請求項１１】
第１乃至第４のノードの接続を制御するトランジスタと、発光素子とを有する発光装置の駆動方法であって、
前記第１のノードと、前記トランジスタが有するゲートとを接続し、なおかつビデオ信号に応じた電流を前記第１のノードと、前記第２のノードの間に流すことで、前記ビデオ信号に応じた電流を電圧に変換し、
該電圧に応じた電流を前記第３のノードと前記第４のノードの間に流し、前記発光素子に供給することを特徴とする発光装置の駆動方法。
【請求項１２】
第１乃至第４のノードの接続を制御するトランジスタと、発光素子とを有する発光装置の駆動方法であって、
前記第１のノードをフローティングにし、前記第２のノードと、前記トランジスタが有するゲートとを接続し、なおかつ前記第２のノードと前記発光素子が有する対向電極とを接続した後開放することで、前記トランジスタの閾値分の電圧を保持容量に保持する第１の期間と、
前記第２のノードと、前記トランジスタが有するゲートとを接続したまま、前記第１のノードと、前記第２のノードの間を介してビデオ信号に応じた電圧を前記保持容量に印加する第２の期間と、
前記保持容量に保持されている電圧に応じた電流を、前記第３のノードと前記第４のノードの間に流し、前記発光素子に供給する第３の期間を有することを特徴とする発光装置の駆動方法。
【請求項１３】
ゲートの電圧を制御することで第１乃至第４のノードの接続を制御する手段と、
前記ゲートの電圧を保持する手段と、
前記第２のノードと前記ゲートの接続を制御する手段と、
前記第２のノードと前記ゲートが接続されているときに、前記ゲートの電圧を保持する手段において保持される電圧の大きさを制御する手段と、
前記第３のノードと前記第４のノードの間に流れる電流を制御し、なおかつ、前記第３のノードと前記第４のノードの間に流れる電流を発光素子に供給するための手段と、
を備えることを特徴とする素子基板。
【請求項１４】
ゲート、ソースおよびドレインを有する第１乃至第５のトランジスタと、
ゲート、第１乃至第４のノードを有する第６のトランジスタと、
コンデンサーと、
画素電極と、を有し、
前記コンデンサーにより前記第６のトランジスタのゲートの電圧が保持され、
前記第２のトランジスタは、ソース又はドレインの一方が前記第６のトランジスタのゲートに接続され、他方が前記第１のノードに接続され、
前記第１のトランジスタは、ソース又はドレインの一方が前記第１のノードに接続され、
前記第３のトランジスタは、ソース又はドレインの一方が前記第２のノードに接続され、
前記第１および第３のトランジスタにより、前記第１のノードと前記第２のノードの間に流れる電流が制御され、
前記第４のトランジスタは、ソース又はドレインの一方が前記第３のノードに接続され、
前記第５のトランジスタのソース又はドレインの一方が前記第４のノードに接続され、
前記第４および第５のトランジスタにより、前記第３のノードと前記第４のノードの間に流れる電流の前記画素電極への供給が制御されることを特徴とする素子基板。
【請求項１５】
第１および第２の配線と、
ゲート、ソースおよびドレインを有する第１乃至第５のトランジスタと、
ゲート、第１乃至第４のノードを有する第６のトランジスタと、
コンデンサーと、
画素電極と、を有し、
前記コンデンサーは、一方の電極が前記第６のトランジスタのゲートに接続され、他方の電極が前記第２の配線に接続され、
前記第１のトランジスタは、ソース又はドレインの一方が前記第１のノードに接続され、他方が前記第１の配線が接続され、
前記第２のトランジスタは、ソース又はドレインの一方が前記第６のトランジスタのゲートに接続され、他方が前記第１のノードに接続され、
前記第３のトランジスタは、ソース又はドレインの一方が前記第２のノードに接続され、他方が前記第２の配線に接続され、
前記第４のトランジスタは、ソース又はドレインの一方が前記第３のノードに接続され、他方が前記第２の配線に接続され、
前記第５のトランジスタは、ソース又はドレインの一方が前記第４のノードに接続され、他方が前記画素電極に接続されてていることを特徴とする素子基板。
【請求項１６】
請求項１５において、前記第２の配線が、前記コンデンサーの他方の電極に用いられていることを特徴とする素子基板。
【請求項１７】
請求項１５又は１６において、前記第１および第５のトランジスタのゲートは、それぞれ、互いに異なる配線に接続されていることを特徴とする素子基板。
【請求項１８】
請求項１５又は１６において、前記第２および第４のトランジスタのゲートは第３の配線に接続され、前記第１、第３および第５のトランジスタのゲートは、それぞれ、前記第３の配線と異なりかつ互いに異なる配線に接続されていることを特徴とする素子基板。
【請求項１９】
ゲートの電圧を制御することで第１乃至第４のノードの接続を制御する手段と、
前記ゲートの電圧を保持する手段と、
前記第２のノードと前記ゲートの接続を制御する手段と、
前記第２のノードと前記ゲートの接続を制御する手段により前記第２のノードと前記ゲートが接続されているときに、前記ゲートの電圧を保持する手段において保持される電圧の大きさを制御する手段と、
前記第３のノードと前記第４のノードの間に流れる電流を制御し、なおかつ、前記第３のノードと前記第４のノードの間に流れる電流を発光素子に供給するための手段と、
を備えることを特徴とする素子基板。
【請求項２０】
ゲート、ソースおよびドレインを有する第１乃至第５のトランジスタと、
ゲート、第１乃至第４のノードを有する第６のトランジスタと、
コンデンサーと、
画素電極と、を有し、
前記コンデンサーにより前記第６のトランジスタのゲートの電圧が保持され、
前記第５のトランジスタは、ソース又はドレインの一方が前記第６のトランジスタのゲートに接続され、他方が前記第２のノードに接続され、
前記第１のトランジスタは、ソース又はドレインの一方が前記第１のノードに接続され、
前記第３のトランジスタは、ソース又はドレインの一方が前記第２のノードと前記第５のトランジスタのソース又はドレインの他方に接続され、
前記第５のトランジスタの動作に連動して、前記第１および第３のトランジスタにより、前記コンデンサーの充電および放電が制御され、
前記第２のトランジスタは、ソース又はドレインの一方が前記第３のノードに接続され、
前記第４のトランジスタは、ソース又はドレインの一方が前記第４のノードに接続され、
前記第２および第４のトランジスタにより、前記第３のノードと前記第４のノードの間に流れる電流の前記画素電極への供給が制御されることを特徴とする素子基板。
【請求項２１】
第１乃至第３の配線と、
ゲート、ソースおよびドレインを有する第１乃至第５のトランジスタと、
ゲート、第１乃至第４のノードを有する第６のトランジスタと、
コンデンサーと、
画素電極と、を有し、
前記コンデンサーは、一方の電極が前記第６のトランジスタのゲートに接続され、他方の電極が前記第２の配線に接続され、
前記第１のトランジスタは、ソース又はドレインの一方が前記第１のノードに接続され、他方が前記第１の配線に接続され、
前記第２のトランジスタは、ソース又はドレインの一方が前記第３のノードに接続され、他方が前記第２の配線に接続され、
前記第３のトランジスタは、ソース又はドレインの一方が前記第２のノードと前記第５のトランジスタのソース又はドレインの他方に接続され、他方が前記第３の配線に接続され、
前記第４のトランジスタは、ソース又はドレインの一方が前記第４のノードに接続され、他方が前記画素電極に接続され、
ていることを特徴とする素子基板。
前記第５のトランジスタは、ソース又はドレインの一方が前記第６のトランジスタのゲートに接続され、他方が前記第２のノードに接続されていることを特徴とする素子基板。
【請求項２２】
請求項２１において、前記第２の配線が、前記コンデンサーの他方の電極に用いられていることを特徴とする素子基板。
【請求項２３】
請求項２１又は２２において、前記第１および第５のトランジスタのゲートは、それぞれ、互いに異なる配線に接続されていることを特徴とする素子基板。
【請求項２４】
請求項２１又は２２において、前記第２および第４のトランジスタのゲートは第４の配線に接続されていることを特徴とする素子基板。
【手続補正２】
【補正対象書類名】明細書
【補正対象項目名】００５２
【補正方法】変更
【補正の内容】
【００５２】
また本発明の素子基板は、上記電圧入力型発光装置を作製する過程における、発光素子が完成する前の一形態に相当する。具体的には、
（１）  ゲートの電圧を制御することで４つのノードを短絡または開放する手段
（２）  前記ゲートの電圧を保持する手段
（３）  第２のノードと前記ゲートの接続を制御する手段
（４） （３）の手段により前記第２のノードと前記ゲートとが接続されているときに、前記（２）の手段において保持される電圧の大きさを制御する手段
（５）  第３のノードと第４のノードの間に流れる電流を制御し、なおかつ、第３のノードと第４のノードの間に流れる電流を発光素子に供給するための手段
が備えられている。
【手続補正３】
【補正対象書類名】明細書
【補正対象項目名】０１０１
【補正方法】変更
【補正の内容】
【０１０１】
Ｔｒ６は、（１）ゲートの電圧を制御することで４つのノードを短絡または開放する手段に相当する。保持容量３０２は、（２）前記ゲートの電圧を保持する手段に相当する。Ｔｒ５は、（３）第２のノードと前記ゲートの接続を制御する手段に相当する。Ｔｒ１及びＴｒ３は、（４） （３）の手段により第２のノードと前記ゲートとが接続されているときに、前記（２）の手段において保持される電圧の大きさを制御する手段に相当する。Ｔｒ４及びＴｒ２は、（５）第３のノードと第４のノードの間に流れる電流を制御する手段に相当する。発光素子３０１は、（６）前記第３のノードと第４のノードの間に流れる電流が供給される発光素子に相当する。
【手続補正４】
【補正対象書類名】明細書
【補正対象項目名】０１０２
【補正方法】変更
【補正の内容】
【０１０２】
なお、発光素子が完成する前の形態に相当する素子基板は、（６）の発光素子の画素電極のみが形成された状態であっても良いし、画素電極となる導電膜を成膜した後であって、パターニングして画素電極を形成する前の状態であっても良いし、あらゆる形態があてはまる。